(57)【要約】【課題】基板ボックスの封鎖部を極めて簡単な操作で、かつ、必要なときだけ確実にロックすることを可能にする。【解決手段】基板ボックス１０は、保持ケース１２と蓋体１３との間に基板１４が収納される。保持ケース１２および蓋体１３の封鎖部１０Ａを突き合わせてロックすることで基板ボックス１０に基板１４を封鎖する。保持ケース１２および蓋体１３の端部には、互いに向き合う一対の封鎖片１２Ａ、１３Ａが設けられる。封鎖片１２Ａ、１３Ａの間には、連結部材２０が脱着可能に設けられる。連結部材２０は、保持ケース１２に蓋体１３を閉じるときの加圧力によって封鎖片１２Ａ、１３Ａに嵌合し、封鎖片１２Ａ、１３Ａ同士を分離不能に連結する。【選択図】　　　図６
2004097525.tif 000002
【特許請求の範囲】
【請求項１】
保持ケースと蓋体との間に基板を収納するとともに、前記保持ケースおよび前記蓋体の封鎖部を突き合わせてロックすることで前記基板を封鎖する基板ボックスにおいて、
前記封鎖部は、
前記保持ケースおよび前記蓋体の端部に設けられ、互いに向き合う一対の封鎖片と、
前記封鎖片の間に脱着可能に設けられ、前記保持ケースに前記蓋体を閉じるときの加圧力によって前記封鎖片に嵌合し、前記封鎖片同士を分離不能に連結する連結部材とを備えたことを特徴とする遊技機の基板ボックス。
【発明の詳細な説明】
【０００１】
【発明の属する技術分野】
本発明は、遊技機の基板ボックスに関するもので、例えば、パチンコ機、スロットマシン等の制御基板ボックスに適用されるものである。
【０００２】
【従来の技術】
一般に、パチンコ機等の遊技機には、遊技機を制御するための制御基板が設けられる。制御基板は、通常、不正にＲＯＭが書き換えられたり、交換されたりするのを防止するために基板ボックスに収納し封鎖される。
例えば図１３に示すように、従来の基板ボックス１は、保持ケース２と蓋体３との間に制御基板４が収納される。保持ケース２および蓋体３の外周端には、互いに向き合う位置に封鎖部２Ａ、３Ａが設けられる。これらの封鎖部２Ａと３Ａとを突き合わせ、所定のネジ孔にワンウェイネジ５を締め付ける。ワンウェイネジ５を一旦締め付けると、緩み方向にネジが戻らないため、封鎖部２Ａ、３Ａがロックされ、基板ボックス１内に制御基板４が封鎖されることになる。
【０００３】
このような封鎖構造をもつ基板ボックスとしては、例えば、緩み方向に回転不能な構造のワンウェイビスを用いるもの（特許文献１参照）、ベース体と蓋体とを取り外し不能に封鎖するネジを用いるもの（特許文献２参照）等が開示されている。
【０００４】
しかしながら、このような従来の遊技機の基板ボックスによると、封鎖部２Ａ、３Ａをロックする場合、ネジの締め付けが面倒で作業時間が長くなりやすい。また、作業者の締め付けの程度（ねじ込み回数）にバラツキが生じると、封鎖部のロックが外れる場合が生じうる。
これに対し、ワンウェイネジに代えて、リベットにより封鎖部をロックするものも知られるが（特許文献３参照）、リベットをかしめるのにリベッタ等の特殊な道具が必要で、作業の準備が煩雑になる。
また、保持ケースに蓋体を閉めると同時に係着ピン等によって封鎖部をロックするものもあるが（特許文献４参照）、このタイプの基板ボックスでは、蓋体の閉鎖時には常に封鎖部がロックされるため、ロックの必要がないときにも封鎖部がロックされる場合があり、基板ボックスの保管や運搬等の取り扱いが不便になる。
【０００５】
【特許文献１】
特開平１１−７６５６０号公報
【特許文献２】
特開２００１−２０４９４１号公報
【特許文献３】
特開２０００−６１１１４号公報
【特許文献４】
特開２０００−６１１１５号公報
【０００６】
【発明が解決しようとする課題】
本発明は、このような現状に鑑みなされたもので、基板ボックスの封鎖部を極めて簡単な操作で、かつ、必要なときだけ確実にロックすることを可能にした遊技機の基板ボックスを提供することを目的としている。
【０００７】
【課題を解決するための手段】
前記課題を解決するために本発明（第１発明）の遊技機の基板ボックスは、次のような構成を備えることとした。すなわち、
保持ケースと蓋体との間に基板を収納するとともに、前記保持ケースおよび前記蓋体の封鎖部を突き合わせてロックすることで前記基板を封鎖する基板ボックスにおいて、
前記封鎖部は、
前記保持ケースおよび前記蓋体の端部に設けられ、互いに向き合う一対の封鎖片と、
前記封鎖片の間に脱着可能に設けられ、前記保持ケースに前記蓋体を閉じるときの加圧力によって前記封鎖片に嵌合し、前記封鎖片同士を分離不能に連結する連結部材とを備える構成とした。
【０００８】
本発明（第１発明）によると、封鎖部をロックする場合、まず、保持ケースと蓋体の封鎖片のうち、いずれか一方に連結部材の一端を嵌合する。次いで、保持ケースに蓋体を閉じると、蓋体の加圧力によって他方の封鎖片が連結部材の他端に嵌合する。これにより、保持ケースおよび蓋体の封鎖片同士が連結部材を介して分離不能に連結され、基板ボックスの封鎖部がロックされることになる。
【０００９】
このように本発明（第１発明）の遊技機の基板ボックスによれば、保持ケースに蓋体を閉じる際に、各封鎖片の間に連結部材を介入させることで、特殊な工具を要することなく、簡単な操作で封鎖部をロックすることができる。
また、本発明（第１発明）では、保持ケースに蓋体を閉じるときに連結部材を外しておけば、封鎖片が連結されず、封鎖部がロックされない。つまり、ロックの必要なときだけ連結部材を用いて封鎖部をロックすればよく、基板ボックスの保管、収納、運搬等の取り扱いが容易になる。
【００１０】
本発明（第２発明）の基板ボックスは、前記封鎖片の少なくとも一方に、前記連結部材を非連結状態で保持する保持手段を設けたことを特徴としている。
基板ボックスの封鎖部をロックしないときには、保持ケースと蓋体の封鎖片が連結されないように、連結部材を外しておくことが必要になる。この場合、連結部材の保管場所が基板ボックスから離れていると、連結部材を使用するときに連結部材を探すのが面倒である。
本発明（第２発明）によると、封鎖片の少なくとも一方に連結部材が非連結状態で保持されるため、必要な時に連結部材を直ぐに使用することができ、封鎖部のロックを迅速に行える。
【００１１】
前記連結部材の保持手段としては、例えば、封鎖片に連結部材を掛け留める突起を設けるとよい。連結部材を筒形状にすることにより、前記突起に連結部材の筒孔を引っ掛けて保持することができる。連結部材を連結するための封鎖片の雄部材を前記突起として利用することもできる。封鎖部をロックするときには、封鎖片の雄部材に連結部材の雌孔を嵌合し、封鎖部をロックしないときには、連結部材の向きを変えて雄部材に筒孔を嵌合させることにより封鎖片を非連結状態に保つことができる。
その他の連結部材の保持手段としては、封鎖片に連結部材を収納するための脱落防止板を設けてもよい。また、封鎖片に溝やフック等を設けて連結部材を非連結状態で留めるようにしてもよい。これらの保持手段は、単独で採用する他、それぞれ組み合わせて設けることもできる。
【００１２】
本発明（第３発明）は、前記連結部材に、前記封鎖片のうち少なくとも一方の連結雌孔に嵌合し、かつ前記封鎖片に貫通する雄部材を設けたことを特徴としている。
制御基板のＲＯＭ等を検査する場合には、封鎖部のロックを解除し、基板ボックスを開封することが必要になる。この場合、封鎖片を保持ケースおよび蓋体の根元部で切断し、封鎖部のロックを解除する方法が考えられる。
しかしながら、このように封鎖片を根元部で切断する場合、作業が煩雑になりやすく、また、基板ボックスに変形や割れ等が生じやすくなる。
【００１３】
本発明（第３発明）によれば、封鎖部をロックすると、封鎖片に連結部材の雄部材が貫通し、雄部材の係止部が封鎖片の外側に突出する。
基板ボックスを開封する場合には、ニッパーやカッター等で雄部材の係止部を切断することで、封鎖片の連結雌孔から雄部材が抜け、封鎖部のロックを簡単かつ確実に解除することが可能になる。
【００１４】
本発明（第４発明）は、前記封鎖片に、前記雄部材の係止部を覆い隠す目隠し板を設けることを特徴としている。
本発明（第３発明）において、封鎖部がロックされているか否かをチェックするためには、通常は、封鎖片の外側から連結部材の雄部材の状態を見ることで足りる。すなわち、雄部材の係止部が切断されているか否かの状態を確認することにより、封鎖部のロックが解除されているか否かを知ることができる。
しかしながら、雄部材の係止部が小さいためにロック状態を瞬時に判別できないことも想定される。特に、不正に基板ボックスが開封されたかどうかをチェックするためには、封鎖部のロック状態を迅速に知ることが重要である。
【００１５】
本発明（第４発明）によれば、封鎖部のロックを解除するときには、常に目隠し板を取り外すことが必要になる。すなわち、目隠し板を外さなければ、雄部材の係止部を切断することができない。これにより、目隠し板が外されているか否かを見ることで封鎖部のロック状態を一瞥して確認することができ、不正行為により基板ボックスが開放されたかどうかを簡単に知ることが可能になる。
また、本発明（第４発明）の目隠し板によれば、雄部材の係止部に細工等を施されて不正に封鎖部のロックが解除されるのを防止する役割も果たす。
【００１６】
本発明による基板ボックスの製法としては、例えば、プラスチック材料でボックス本体と封鎖部とを一体成形することが望ましい。このような製法によれば、ボックス本体と封鎖部とが同種のプラスチック材料を用いることができ、遊技機の解体後に基板ボックスを容易にリサイクルすることができるためである。また、封鎖部の切断片についても、ネジやリベットの金属材料を含まないため、プラスチック廃材として回収しやすく、リサイクルが容易になる。
なお、本発明による基板ボックスの他の製法としては、ボックス本体と封鎖部とを別に製造して後で合体させる方法でもよい。
【００１７】
基板ボックスを製造するためのプラスチック材料としては、例えばポリカーボネートを使用することができる。
プラスチック材料の色彩は、特に限定されないが、望ましくは透明または半透明の材料を用いるのが望ましい。基板ボックスの外側から内部を視認しやすく、ＲＯＭ等の異常を発見しやすいためである。
【００１８】
また、本発明による遊技機は、前記本発明（第１〜５発明）の基板ボックスを備えることを特徴としている。
本発明の遊技機によれば、保持ケースおよび蓋体の封鎖片に連結部材を連結することで、基板ボックスの封鎖部を簡単にロックすることができる。このため、工場等で遊技機に基板ボックスをセットする作業が簡単になる。また、封鎖片に非連結状態で連結部材を保管することができるので、封鎖部をロックしないときの基板ボックスの取り扱いも便利である。さらに、ホール設置後にＲＯＭ等の検査があっても、基板ボックスの開封および封鎖の作業を簡単かつ迅速に行うことができる。
なお、遊技機の種類は特に限定されず、パチンコ機、スロットマシン、アレンジボール機、雀球機等の各種遊技機に本発明を適用することが可能である。
【００１９】
【発明の実施の形態】
以下、本発明の実施の形態を図面に基づいて説明する。
図２は、本発明を適用したパチンコ機を背後から見た斜視図である。図２に示すように、パチンコ機１００は、外枠１０１内に脱着可能な遊技盤ユニット１０６を収納して構成される。遊技盤ユニット１０６の正面側には遊技盤が配置される。遊技盤には、玉案内レール、各種入賞装置、役物装置、図柄表示装置、アタッカー装置、ゲート口、風車器、誘導釘等が設けられている。外枠１０１の前面には、扉１０２がヒンジ１０２ａによって回動可能に取り付けられている。遊技者は、発射ハンドル装置１０３を操作することにより、遊技盤の中央に設けられた遊技領域に玉を発射する。
パチンコ機１００の背面側には、玉タンク１０５、電源装置１０７、玉払出装置１０８等が設けられている。そして、遊技盤ユニット１０６の背面にパチンコ機１００の遊技状態を制御する制御基板が取り付けられる。
【００２０】
制御基板は、遊技機全体を制御する主基板と、副基板（表示制御基板、音制御基板、ランプ制御基板、払出制御基板、発射制御基板等）とからなり、これらの基板の一部は個別に基板ボックスに収納されている。本実施形態では、これらの基板ボックスのうち、主基板用の基板ボックス１０に本発明を適用した例について説明する。なお、必要に応じて副基板の基板ボックスにも本発明を適用することができることはもちろんである。
【００２１】
図１に示すように、基板ボックス１０は、保持ケース１２と蓋体１３とからなる。基板ボックス１０の下端部にヒンジ部１５が設けられ、このヒンジ部１５により保持ケース１２の開口部に蓋体１３が開閉可能に取り付けられる。図１の状態から図１矢印方向に蓋体１３を回動すると、保持ケース１２内に制御基板１４が現れる。
【００２２】
基板ボックス１０の図１左右両端部には一対の封鎖部１０Ａ、１０Ａが形成されている。基板ボックス１０に主基板１４を格納した後、これらの封鎖部１０Ａ、１０Ａを所定の操作によってロックすることで、基板ボックス１０に制御基板１４が封鎖状態に保たれる。なお、封鎖部１０Ａ、１０Ａは、後述するように、基板ボックス１０の開放および封鎖を繰り返して行えるように、複数（４個）のロック機構を備えている。
【００２３】
次に、封鎖部１０Ａの構成について説明する。
図３には、封鎖部１０Ａを分解した状態を示した。図３（Ａ）は保持ケース１２の封鎖片１２Ａの断面図、図３（Ｂ）は蓋体１３の封鎖片１３Ａの断面図である。封鎖片１２Ａと１３Ａとの間に図４に示す連結部材２０が連結可能になっている。
【００２４】
図３（Ａ）に示すように、保持ケース１２の側面に封鎖片１２Ａが形成される。封鎖片１２Ａは、縦板１５と横板１６とからなる。縦板１５が保持ケース１２の側面に対しほぼ垂直に延び、さらにその先端に横板１６が保持ケース１２の側面に対しほぼ平行に延びている。
【００２５】
封鎖片１２Ａには、縦板１５の内側にほぼ垂直に延びる雄部材１７が形成される。雄部材１７の先端部には、連結部材２０の連結雌孔Ｈ３（図５参照）に嵌合可能な係止部１８が設けられる。係止部１８の先端は、楔形の傾斜面１８ａになっている。
【００２６】
一方、図３（Ｂ）に示すように、蓋体１３の側面には、封鎖片１３Ａが形成される。封鎖片１３Ａは、封鎖片１２Ａよりもサイズの小さい縦板２１と横板２２を有している。保持ケース１２に蓋体１３を閉じると、封鎖片１２Ａの内側に封鎖片１３Ａが嵌合し、蓋体１３の先端部１３ａが封鎖片１２Ａの横板１５に当たって止まる（図６参照）。
【００２７】
封鎖片１３Ａには、縦板２１に貫通する連結雌孔Ｈ１が設けられる。連結雌孔Ｈ１には、後述する連結部材２０の雄部材３２が嵌合可能になっている。連結雌孔Ｈ１は、図１に示すように、矩形の目隠し板２６で覆われる。これにより、封鎖片１３Ａの外側からは、連結雌孔Ｈ１を直接覗くことができないようになっている。
【００２８】
目隠し板２６は、支持板２６ａによって縦板２１の壁面に固定される。目隠し板２６と連結雌孔Ｈ１との間に空隙Ｓ１が形成される。この空隙Ｓ１に連結部材２０の雄部材３２の係止部３３が突出することになる（図６参照）。
支持板２６ａをカッター等で切断すると、目隠し板２６が封鎖片１３Ａから分離し、空隙Ｓが開放される。
【００２９】
封鎖片１３Ａの縦板２１の端部には、ガイド孔Ｈ２が開口している。ガイド孔Ｈ２には、後述する連結部材２０のストッパ３５が嵌合する（図６参照）。
【００３０】
図４に示すように、連結部材２０は、角筒形の筒体３１を備えている。筒体３１の図４頂面ほぼ中央に雄部材３２が形成される。筒体３１の底面にはスリット状の連結雌孔Ｈ３が形成されている。雄部材３２および連結雌孔Ｈ３は、連結部材２０の中心軸上に配置されている。
【００３１】
雄部材３２は、左右対称の形状を有する右部材３２ａと左部材３２ｂからなる。右部材３２ａおよび左部材３２ｂの先端に封鎖片１３Ａの連結雌孔Ｈ１に嵌合可能な係止部３３が形成される。右部材３２ａおよび左部材３２ｂが互いに近づく方向に撓むことで、雄部材３２が連結雌孔Ｈ１に嵌りやすくなっている。また、係止部３３に形成される傾斜面３３ａも雄部材３２の連結雌孔Ｈ１への嵌合操作を容易にする。
【００３２】
連結雌孔Ｈ３の両側には、補助スリットＳ２、Ｓ３が形成される。連結雌孔Ｈ３と補助スリットＳ２およびＳ３との間は、直線状の長板部３１ａ、３１ｂになっている。連結雌孔Ｈ３に封鎖片１２Ａの雄部材１７を嵌合する場合、これらの長板部３１ａ、３１ｂが連結雌孔Ｈ３を拡げるように外側に撓み、雄部材１７の嵌合操作を容易にする。
【００３３】
筒体３１の図４頂面の側端部にはストッパ３５が立ち上げられる。ストッパ３５は、封鎖片１３Ａの連結雌孔Ｈ１に雄部材３２を嵌合するとき、ガイド孔Ｈ２（図３（Ｂ）参照）に嵌合し、連結雌孔Ｈ１を位置決めする。
一方、筒体３１の図４後方側の筒端部にはストッパ３６が延びている。ストッパ３６は、封鎖部に連結部材２０を非連結状態で保持するときに、封鎖片１２Ａまたは１３Ａの壁面に当たって連結部材２０のガタ付きを押さえる役割を果たす（図１０参照）。
【００３４】
次に、封鎖部１０Ａのロック方法について説明する。
図５に示すように、まず、封鎖片１２Ａと連結部材２０とを連結する。雄部材１７の係止部１８に連結部材２０の連結雌孔Ｈ３を押し込むと、係止部１８が傾斜面１８ａにより連結雌孔Ｈ３を押し拡げ、連結部材２０に係止される。
このような状態で保持ケース１２に蓋体１３を閉じると（図５矢印参照）、図６に示すように、封鎖片１２Ａに封鎖片１３Ａが嵌合し、連結部材２０の雄部材３２が封鎖片１３Ａの連結雌孔Ｈ１に弾性嵌合する。そして、雄部材３２の係止部３３が空隙Ｓ１に突出し、封鎖片１３Ａに係止される。
この結果、封鎖片１２Ａと１３Ａとが連結部材２０を介して分離不能に連結されることになり、封鎖部１０Ａがロックされることになる。
【００３５】
このように第１実施形態によれば、基板ボックスの封鎖部１０Ａを簡単な作業工程で確実にロックすることができる。これにより、パチンコ機１００への基板ボックス１０の組み付けが簡単になり、作業者の負担を軽減することができる。また、封鎖片１２Ａおよび１３Ａに連結部材２０を一旦連結すると、雄部材１７および３２の返しによって連結部材２０が外れることはなく、封鎖の信頼性も十分に確保することができる。
なお、封鎖片１２Ａおよび１３Ａに連結部材２０を連結する順序については、前述の説明には限られない。最初に封鎖片１３Ａに連結部材２０を連結し、後で封鎖片１２Ａに連結部材２０を連結してもよい。封鎖片１２Ａと１３Ａとの間に連結部材２０を挟んで加圧することで両者を同時に連結することもできる。
【００３６】
封鎖部１０Ａのロックを解除する場合は、目隠し板２６をカッターやニッパー等で切断して除去する。すると、図７に示すように、封鎖片１３Ａの外側に連結部材２０の雄部材３２が現れる。ここで、雄部材３２の係止部３３を切断すると、封鎖片１２Ａと１３Ａとの連結が解かれて封鎖部１０Ａのロックが解除される。
このように第１実施形態の基板ボックス１０によれば、封鎖片１２Ａ、１３Ａをその根元から切断することなく、簡単な操作で封鎖部１０Ａのロックを外すことができる。
【００３７】
なお、目隠し板２６は、封鎖部１０Ａのロックを解除するとき以外は常に封鎖片１３Ａに保持しておく。すなわち、封鎖部１０Ａを一旦ロックした後に解除するときだけ目隠し板２６を外し、それ以外の場合は目隠し板２６を封鎖片１３Ａに付けたままにしておく。これにより、目隠し板２６を見るだけで封鎖部１０Ａのロックが解除されているか否かを瞬時に把握することが可能になる。
【００３８】
ここで、図１に示すように、本実施形態では、基板ボックス１０の左右両側のの封鎖部１０Ａに連結部材２０を複数（４個）並設する構成とした。これにともない雄部材１７、連結雌孔Ｈ１および目隠し板２６も対応する数だけ形成している。つまり、封鎖片１２Ａおよび１３Ａには、図１で上下方向に第１〜第４のロック機構が設けられている。
そして、パチンコ機１００の工場出荷時に第１のロック機構により基板ボックス１０を封鎖する。このとき、第２〜４番目のロック機構はロックしない。遊技機がホールに設置された後にＲＯＭの検査等のため基板ボックス１０を開ける場合には、第１番目のロック機構を解除する。再度、基板ボックス１０を閉じる場合には、第２番目のロック機構により基板ボックス１０を封鎖する。同様に、再度、基板ボックス１０を開ける場合には第３、第４番目のロック機構を用いて基板ボックス１０を封鎖する。
【００３９】
本実施形態では、このようにホール内でＲＯＭ検査を受けた後の再封鎖時に、第２〜４番目のロック機構を直ぐに使えるよう同じ基板ボックス１０の封鎖部１０Ａに各ロック機構の連結部材２０が保管されている。
【００４０】
次に、連結部材２０の保管方法を図８〜１０に基づいて説明する。封鎖部１０Ａに連結部材２０を保管する場合には、封鎖片１２Ａと１３Ａとの間に連結部材２０を非連結状態で収納する。図８は連結部材２０の収納状態を示す斜視図であり、図９および図１０は、図８に示す連結部材２０を封鎖片１２Ａと１３Ａとの間に収納する前後の状態を示す断面図である。なお、図９および図１０において、連結部材２０は、紙面に対して垂直方向上側に雄部材３２を向けて保持されている。
【００４１】
図８および図９に示すように、まず、連結部材２０の筒孔に雄部材１７を入れ、封鎖片１２Ａの上に連結部材２０を載せる。このとき、連結部材２０の雄部材３２および連結雌孔Ｈ３の連結軸がロック時の状態から９０゜回転し、封鎖片１２Ａとほぼ平行に保たれる。
次いで、図１０に示すように、封鎖片１２Ａに封鎖片１３Ａを嵌合すると、連結部材２０の外側に封鎖片１３Ａが嵌り、封鎖片１２Ａと１３Ａとの間に連結部材２０が収納される。
【００４２】
このように封鎖片１２Ａと１３Ａとの間に連結部材２０を収納すると、連結部材２０がその筒孔により雄部材１７に引っ掛かるため、封鎖片１２Ａと１３Ａとの間から脱落することはない。
また、封鎖片１２Ａおよび１３Ａのいずれにも連結部材２０が連結されないため、封鎖部１０Ａがロックされることはなく、保持ケース１２から蓋体１３を自由に開くことが可能になる。
また、図１０に示すように、連結部材２０の収納時には、封鎖片１２Ａおよび１３Ａと連結部材２０とが接触し合って両者の間にはほとんど隙間が形成されない。このため、封鎖部１０Ａに連結部材２０がガタ付きのない状態で保持される。
さらに、封鎖部１０Ａをロックする場合には、連結部材２０の向きを変えるだけで直ぐに封鎖片１２Ａおよび１３Ａを連結することができる。
なお、雄部材１７に連結部材２０を保持する方法については、連結部材２０の筒孔を利用する他、雄部材３２の右部材３２ａと左部材３２ｂを利用してもよい。すなわち、右部材３２ａと左部材３２ｂとの間に雄部材１７を押し込んで挟持することにより、雄部材１７に連結部材２０を保持することも可能である。
【００４３】
このように第１実施形態によれば、基板ボックス１０の封鎖部１０Ａに連結部材２０を保管することができるため、ロック時に連結部材２０を探す手間が省ける。また、ロックが必要なとき以外は、封鎖片１２Ａおよび１３Ａと連結部材２０とを非連結状態に保つことができるので、基板ボックス１０の保管や運搬等の取り扱いが便利になる。
【００４４】
また、第１実施形態の基板ボックス１０によれば、解体後のリサイクルにも適する。すなわち、従来例による基板ボックスの封鎖部の構成では、ネジやリベットに既製の金属製品を使用することが多くなる。このため、プラスチック製の基板ボックスをリサイクルのため回収する際に金属製のネジやリベットを分別することが困難であった。これに対し、基板ボックス１０の構成では、封鎖片１２Ａ、１３Ａ、連結部材２０等の封鎖部の各部をプラスチック材料により比較的簡単に製造することができる。これにより、基板ボックス１０のプラスチック材料のリサイクルを簡単に行うことができるという効果がある。
【００４５】
次に、本発明の他の実施形態について説明する。なお、以下に述べる他の実施形態において、前記第１実施形態と実質的に同一の構成部分には同一の符号を付し、説明を省略する。
【００４６】
本発明の第２実施形態を図１１に示す。
図１１に示すように、第２実施形態の基板ボックスは、連結部材２０に単体の雄部材４１を設けたものである。雄部材４１の係止部４２には、先端に向かって互いに近づく傾斜面４２ａ、４２ａが形成されている。
封鎖部をロックする場合、封鎖片１３Ａの連結雌孔Ｈ１に雄部材４１を押し込むと、係止部４２が傾斜面４２ａ、４２ａにより連結雌孔Ｈ１を押し拡げ、封鎖片１３Ａの外側に係止される。これにより、連結部材２０と封鎖片１３Ａとが連結される。
封鎖部のロックを解除する場合には、係止部４２の根元をカッターやニッパ等で切断すると、連結雌孔Ｈ１から雄部材４１が外れるため、連結部材２０と封鎖片１３Ａとの連結が解かれる。
【００４７】
第２実施形態によれば、連結雌孔Ｈ１に雄部材４１を連結すると、係止部４２を切除するまで、ロックを解除することができない。このため、係止部２４が切断されているか否かを見るだけで、封鎖部のロック状態を知ることができる。　また、封鎖片１３Ａの目隠し板を省略することができ、封鎖部をよりシンプルな構成にすることができる。
【００４８】
本発明の第３実施形態を図１２に示す。
第３実施形態の基板ボックスは、連結部材２０に二組の雄部材３２、５１を設けたものである。連結部材２０の雄部材３２の反対側（図１２左側端部）に前記第１実施形態と同様な構成の雄部材５１が設けられる。連結部材２０の側端部には、ストッパ５２が形成されており、封鎖片１２Ａにはストッパ５２に嵌合するガイド孔Ｈ５が設けられている。
封鎖片１２Ａには、雄部材５１に嵌合可能な連結雌孔Ｈ４が設けられる。連結雌孔Ｈ４の外側には、目隠し板５３が支持板５３ａにより封鎖片１２Ａに固定されている。
【００４９】
第３実施形態によれば、封鎖部をロックする場合、連結部材２０が左右対称の構造であるため、雄部材３２または５１の向きを気にする必要がない。また、封鎖部のロックを解除する場合には、雄部材３２または５１のいずれか一方を選択的に封鎖片１２Ａおよび１３Ａから外せばよいことから作業性が良好になる。
なお、封鎖部に連結部材２０を保持する場合、雄部材３２または５１を図１２の状態から紙面に対して垂直に向けると、封鎖片１２Ａと１３Ａとの間に連結部材２０を非連結状態で収納することができる。このとき、封鎖片１２Ａおよび１３Ａの横板１６および２２が脱落防止板として作用する。
【００５０】
本発明の第１〜３実施形態を説明したが、本発明の実施の形態はこれらに限られることなく、種々の変更が可能である。連結部材の形状は、必要に応じて変更してもよい。また、封鎖部の位置や数についても、前記第１実施形態の構成に限られることなく、例えば、基板ボックスの四隅部に封鎖部を設けたり、ヒンジ部と反対側に１カ所のみ封鎖部を設けてもよい。さらに、目隠し板については、必要に応じて省略することもできる。
【００５１】
【発明の効果】
以上説明したように、本発明の遊技機の基板ボックスによれば、次のような優れた効果を奏する。
（ａ）　基板ボックスの封鎖部を必要なときだけ簡単な操作で、迅速かつ確実ににロックすることができる。
（ｂ）　基板ボックスの封鎖部にネジやリベット等を使用しないため、解体後の材料分別を行いやすい。
（ｃ）　プラスチック材料を再利用しやすく、資源の有効利用に役立つ。
【図面の簡単な説明】
【図１】本発明の第１実施形態による基板ボックスを示す斜視図である。
【図２】本発明の第１実施形態によるパチンコ機の後方斜視図である。
【図３】本発明の第１実施形態による基板ボックスの封鎖部を示すもので、（Ａ）は保持ケース側の封鎖片を示す断面図、（Ｂ）は蓋体側の封鎖片を示す断面図である。
【図４】本発明の第１実施形態による連結部材を示す斜視図である。
【図５】本発明の第１実施形態による封鎖部の連結前の状態を示す断面図である。
【図６】本発明の第１実施形態による封鎖部の連結後の状態を示す断面図である。
【図７】本発明の第１実施形態による封鎖部のロック解除時の状態を示す断面図である。
【図８】本発明の第１実施形態による連結部材の収納状態を示す一部切欠斜視図である。
【図９】本発明の第１実施形態による連結部材の収納前の状態を示す断面図である。
【図１０】本発明の第１実施形態による連結部材の収納後の状態を示す断面図である。
【図１１】本発明の第２実施形態による基板ボックスの封鎖部を示す断面図である。
【図１２】本発明の第３実施形態による基板ボックスの封鎖部を示す断面図である。
【図１３】従来例による基板ボックスを示す斜視図である。
【符号の説明】
１０　　基板ボックス
１０Ａ　封鎖部
１２　　保持ケース
１３　　蓋体
１２Ａ、１３Ａ　　封鎖片
１５　　縦板
１６　　横板（保持手段）
１７　　雄部材（保持手段）
１８　　係止部
２０　　連結部材
２１　　縦板
２２　　横板（保持手段）
２６　　目隠し板
２６ａ　支持板
３２　　雄部材、
３２ａ　右部材
３２ｂ　左部材
３５、３６　ストッパ
Ｈ１、Ｈ３　連結雌孔
Ｈ２　　ガイド孔
【図１】
2004097525.tif 000003
【図２】
2004097525.tif 000004
【図３】
2004097525.tif 000005
【図４】
2004097525.tif 000006
【図５】
2004097525.tif 000007
【図６】
2004097525.tif 000008
【図７】
2004097525.tif 000009
【図８】
2004097525.tif 000010
【図９】
2004097525.tif 000011
【図１０】
2004097525.tif 000012
【図１１】
2004097525.tif 000013
【図１２】
2004097525.tif 000014
【図１３】
2004097525.tif 000015